(57)【要約】【課題】ハンドルロックのハンドルケースとレバーハンドルに対する補修シールの貼り付けが、心ずれのない状態で同時に行え、仕上がりが良好で強固な貼り付け状態を得ることができる自動販売機の扉用ハンドルロックの補修シールを提供する。【解決手段】ハンドルケース補修シール１０とレバーハンドル補修シール１１が、扉用ハンドルロックのハンドルケースとその凹部に納まるレバーハンドルの関係に一致する配置で台紙１２に剥離可能となるよう貼着され、この台紙１２が、前記ハンドルケース補修シール１０とレバーハンドル補修シール１１の長さ方向のセンターラインに沿って設けた切れ目１３で両側に切離されている。【選択図】図２
2009068286.tif 000002
【特許請求の範囲】
【請求項１】
自動販売機の扉に固定するハンドルケースと、このハンドルケースの前面に設けた凹部に納まるようハンドルケースに組み付けたポップアップ式のレバーハンドルと、このレバーハンドルの枢軸部に組み込んだキーシリンダとの組立体からなり、キーで前記キーシリンダを解錠することにより、レバーハンドルが前方に突き出し、この状態でレバーハンドルを回すことにより、扉を開くことができるようにした自動販売機の扉用ハンドルロックに用いる補修シールであり、
外形がハンドルケースの前面外形に見合う形状と大きさを有し、レバーハンドルが納まる凹部の輪郭に見合う形状と大きさの孔が内側に打ち抜かれ、裏面に設けた接着剤層でハンドルケースの前面に貼り付けるハンドルケース補修シールと、
外形がレバーハンドルの前面外形に見合う形状と大きさを有し、キーシリンダの外径に見合う大きさの孔が内側に打ち抜かれ、裏面に設けた接着剤層でレバーハンドルの前面に貼り付けるレバーハンドル補修シールと、
外形が前記ハンドルケース補修シールよりも大きく、ハンドルケース補修シールとレバーハンドル補修シールを剥離可能となるよう貼着した台紙とで形成され、
前記ハンドルケース補修シールとレバーハンドル補修シールが、扉用ハンドルロックのハンドルケースとその凹部に納まるレバーハンドルの関係に一致する配置で台紙に貼着され、この台紙が、前記ハンドルケース補修シールとレバーハンドル補修シールの長さ方向のセンターラインに沿って設けた切れ目で両側に切離されている自動販売機の扉用ハンドルロックの補修シール。
【請求項２】
上記ハンドルケース補修シールとレバーハンドル補修シールが、金属や硬質合成樹脂のシートを用いたシール本体の表面を保護シートで覆い、前記シール本体の裏面に接着剤を塗布した三層構造に形成されている請求項１に記載の自動販売機の扉用ハンドルロックの補修シール。
【請求項３】
上記接着剤が、ポリアクリル酸エステル共重合体を主成分に用いたものである請求項１又は２に記載の自動販売機の扉用ハンドルロックの補修シール。
【発明の詳細な説明】
【技術分野】
【０００１】
この発明は、自動販売機の扉用ハンドルロックにおけるハンドルケースとレバーハンドルの前面に貼り付け、この前面に生じていた塗装の剥がれや傷を見えないように隠すための補修シールに関する。
【背景技術】
【０００２】
図３のように、自動販売機１の扉２には、施錠状態で扉を固定すると共に、解錠状態で扉２を開閉操作するためのハンドルロック３が取り付けられている。
【０００３】
上記のハンドルロック３は、自動販売機１の扉２に固定するハンドルケース４と、このハンドルケース４の前面に設けた凹部に納まるようハンドルケース４に組み付けたポップアップ式のレバーハンドル５と、このレバーハンドル５の枢軸部に組み込んだキーシリンダ６との組立体からなり、前記ハンドルケース４と、凹部に納まるレバーハンドル５及びキーシリンダ６の前面は略同一面に構成され、キーで前記キーシリンダ６を解錠することにより、レバーハンドル５が前方に突き出し、この状態でレバーハンドル５を所定角度回して手前に引くことにより、扉２を開くことができるようになっている（例えば、特許文献１参照）。
【０００４】
上記のようなハンドルロック３は、不正な解錠を防ぐため、外部から衝撃を与えも、容易に破損することのないよう頑丈な構造になっていると共に、ハンドルケース４とレバーハンドル５は塗装仕上げされている。
【特許文献１】特開２０００−２２０３２９号公報
【発明の開示】
【発明が解決しようとする課題】
【０００５】
ところで、自動販売機１の扉２を開閉する場合は、その都度扉に固定したハンドルロック３のキーシリンダ６に対してキーを抜き差しする作業が必要になるが、周辺の環境が暗いような場合、キーシリンダ６の鍵穴を確認するのが困難となり、このため、適当に見当をつけてキーを鍵穴に差し込もうとしたとき、キーの先端をハンドルケース４やレバーハンドル５の前面に衝突させることがあり、この衝突によってハンドルケース４やレバーハンドル５の前面に施されている塗装に剥がれや傷を生じさせることになる。
【０００６】
また、自動販売機１の扉２に固定したハンドルロック３は、その前面が扉の前面に露出しているため、悪戯や不正解錠をしようとして、ハンドルケース４やレバーハンドル５の前面が硬質物で叩かれたり引っかかれることがあり、塗装に剥がれや傷が付けられることが往々にして発生している。
【０００７】
上記ハンドルケース４やレバーハンドル５の前面塗装に剥がれや傷が付いていると、その部分が人目につきやすく、自動販売機１の体裁が悪くなるため、剥がれや傷が目立たないようにする何らかの補修処置が必要になる。
【０００８】
ハンドルケース４やレバーハンドル５の前面塗装に付いた剥がれや傷の補修手段としては、ハンドルロック３を新品と取り換える方法と、ハンドルケース４やレバーハンドル５の前面に塗装を施す方法及びシールを貼って塗装の剥がれや傷を覆う方法が考えられる。
【０００９】
しかし、ハンドルロック３を新品と取り換える方法は、機能的に問題のないハンドルロックを廃棄することになるので、資源的に無駄であると同時に経済的にも負担が大きくなり、実用的ではない。
【００１０】
また、塗装を施す方法は、現場で焼付け塗装のような強度のある施工ができないため、塗装を施しても短期間で同じような傷が生じることになり、実際の施工においては、塗装が乾くまで時間がかかり、施工能率が悪く実用的に程遠いものである。
【００１１】
更に、シールを貼り付ける方法は、ハンドルケース４とレバーハンドル５の前面に対して、それぞれの前面形状に対応したシールを別々に貼り付ける必要があるが、シールをハンドルケース４やレバーハンドル５に対して心ずれのない状態で貼り付けるのは、貼り付け作業に細心の注意を払っても非常に困難であり、貼り付けたシールに心ずれがあると、見た目に不体裁となり、また、貼り付け時にシールの貼り直しを繰り返すと接着力が低下することになり、シール貼り付け方法の実施に際しては、解決しなければならない幾つかの問題点を含んでいる。
【００１２】
そこで、この発明の課題は、上記したシールを貼り付ける方法の問題点を解決するため、ハンドルケースとレバーハンドルに対する補修シールの貼り付けが同時に行え、貼り付け作業の簡略化と能率向上が行えると同時に、心ずれのない状態で正確に貼り付けることができ、張り直しを行うようなことがなくなり、仕上がりが良好で強固な貼り付け状態を得ることができる自動販売機の扉用ハンドルロックの補修シールを提供することにある。
【課題を解決するための手段】
【００１３】
上記の課題を解決するため、この発明は、自動販売機の扉に固定するハンドルケースと、このハンドルケースの前面に設けた凹部に納まるようハンドルケースに組み付けたポップアップ式のレバーハンドルと、このレバーハンドルの枢軸部に組み込んだキーシリンダとの組立体からなり、キーで前記キーシリンダを解錠することにより、レバーハンドルが前方に突き出し、この状態でレバーハンドルを回すことにより、扉を開くことができるようにした自動販売機の扉用ハンドルロックに用いる補修シールであり、外形がハンドルケースの前面外形に見合う形状と大きさを有し、レバーハンドルが納まる凹部の輪郭に見合う形状と大きさの孔が内側に打ち抜かれ、裏面に設けた接着剤層でハンドルケースの前面に貼り付けるハンドルケース補修シールと、外形がレバーハンドルの前面外形に見合う形状と大きさを有し、キーシリンダの外径に見合う大きさの孔が内側に打ち抜かれ、裏面に設けた接着剤層でレバーハンドルの前面に貼り付けるレバーハンドル補修シールと、外形が前記ハンドルケース補修シールよりも大きく、ハンドルケース補修シールとレバーハンドル補修シールを剥離可能となるよう貼着した台紙とで形成され、前記ハンドルケース補修シールとレバーハンドル補修シールが、扉用ハンドルロックのハンドルケースとその凹部に納まるレバーハンドルの関係に一致する配置で台紙に貼着され、この台紙が、前記ハンドルケース補修シールとレバーハンドル補修シールの長さ方向のセンターラインに沿って設けた切れ目で両側に切離されている構成を採用したものである。
【００１４】
上記ハンドルケース補修シールとレバーハンドル補修シールが、金属や硬質合成樹脂のシートを用いたシール本体の表面を保護シートで覆い、前記シール本体の裏面に接着剤を塗布した三層構造に形成されているようにすることができる。
また、上記接着剤が、ポリアクリル酸エステル共重合体を主成分に用いたものである
構造としてもよい。
【００１５】
ここで、上記ハンドルケース補修シールとレバーハンドル補修シールの形成に用いる薄い金属シートとしては、ステンレス、アルミ等を例示することができ、保護シートは、耐候性に優れた透明なＰＥＴ樹脂を用い、前記金属シートの表面にラミネートする。
【００１６】
また、主成分にポリアクリル酸エステル共重合体を用いた接着剤は、強固な粘着力を有し、耐熱性、耐寒性、耐候性の何れにも優れているため、扉用ハンドルロックに貼り付けた状態でハンドルケース補修シールとレバーハンドル補修シールが容易に剥がれるというようなことがない。
【発明の効果】
【００１７】
この発明によると、ハンドルケース補修シールとレバーハンドル補修シールを、扉用ハンドルロックのハンドルケースとその凹部に納まるレバーハンドルの関係に一致する配置で台紙に貼着し、この台紙が長さ方向のセンターラインに沿って設けた切れ目で両側に切離されているので、台紙の片側を剥がしてハンドルケース補修シールとレバーハンドル補修シールの半分をハンドルケースとレバーハンドルの前面に貼り付けた後、残りの台紙を剥がしてハンドルケース補修シールとレバーハンドル補修シールの残りの半分を貼り付けるようにすれば、ハンドルケース補修シールとレバーハンドル補修シールを同時に貼り付けることができ、ハンドルケース補修シールとレバーハンドル補修シールの位置関係がずれることがなく、ハンドルケース補修シールとレバーハンドル補修シールの貼り付け作業の簡略化と能率及び精度向上が図れる。
【００１８】
また、台紙の長さ方向のセンターラインに沿って設けた切れ目が、センター出しの定規となり、この切れ目をハンドルケースの幅方向中央に合わせて貼り付けるようにすれば、ハンドルケースとレバーハンドルに対して、ハンドルケース補修シールとレバーハンドル補修シールを心ずれのない状態で正確に貼り付けることができ、貼り直しを行うような必要がなくなり、仕上がりが良好で強固な貼り付け状態を得ることができる。
【００１９】
更に、主成分にポリアクリル酸エステル共重合体を用いた接着剤を使用することにより、強固な粘着力を得ることができ、扉用ハンドルロックに対してハンドルケース補修シールとレバーハンドル補修シールを強固に貼り付け固定することができ、しかも、耐熱性、耐寒性、耐候性の何れにも優れているため、貼り付けた状態で容易に剥がれることもない。
【発明を実施するための最良の形態】
【００２０】
以下、この発明の実施の形態を図示例に基づいて説明する。なお、図３に基づいて背景技術の項で述べた部分と同一部分については、同一符号を用いる。
【００２１】
図１と図３のように、自動販売機１の扉２に使用するハンドルロック３は、前面側の周囲にフランジが設けられ、自動販売機１の扉２に設けた取付け孔に嵌め込んで固定するハンドルケース４と、施錠時にこのハンドルケース４の前面に設けた凹部７に納まるようハンドルケース４に組み付けたポップアップ式のレバーハンドル５と、このレバーハンドル５の枢軸部８に組み込んだキーシリンダ６との組立体からなり、キーで前記キーシリンダ６を解錠することにより、レバーハンドル５が前方に突き出し、この状態でレバーハンドル５を例えば９０°回して手前に引くことにより、扉２を開くことができる構造になっている。
【００２２】
上記ハンドルケース４とレバーハンドル５は、その前面がフラットに形成され、施錠時に凹部７に納まるレバーハンドル５とハンドルケース４の前面は略同一面となるようになっていると共に、ハンドルケース４とレバーハンドル５は、不正な解錠を防ぐため、外部から衝撃を与えも、容易に破損することのないよう金属材料を用いて頑丈な構造になっていると共に、ハンドルケース４とレバーハンドル５の外面は塗装仕上げされている。
【００２３】
図２（ｂ）乃至（ｄ）は、上記ハンドルケース４とレバーハンドル５の前面に貼り付けるために用いる補修シール９を示し、ハンドルケース４の前面に貼り付けるためのハンドルケース補修シール１０と、レバーハンドル５の前面に貼り付けるためレバーハンドル補修シール１１と、このハンドルケース補修シール１０とレバーハンドル補修シール１１を剥離可能となるよう貼着した台紙１２とで形成されている。
【００２４】
上記ハンドルケース補修シール１０とレバーハンドル補修シール１１は、図２（ｄ）のように、金属や硬質合成樹脂の薄いシートを用いたシール本体Ａの表面を保護シートＢで覆い、前記シール本体Ａの裏面に接着剤Ｃを塗布した三層構造のシール材料を用いて形成されている。
【００２５】
上記ハンドルケース補修シールは、外形がハンドルケースの前面外形に見合う形状と大きさとなり、内側にレバーハンドルが納まる凹部に見合う大きさの孔を打ち抜いて形成され、また、上記レバーハンドル補修シールは、外形がレバーハンドルの前面外形に見合う形状と大きさとなり、内側にキーシリンダに見合う大きさの円形孔を打ち抜かれて形成されている。
【００２６】
上記薄いシート本体Ａとして用いる金属としては、ステンレス、アルミ等を例示することができ、また、保護シートＢには、耐候性に優れた透明なＰＥＴ樹脂を用い、前記金属シートＡの表面にラミネートされている。
【００２７】
上記台紙１２は、ハンドルケース補修シール１０よりも少し大きめ矩形状に形成され、その表面に離形剤層が設けられ、前記ハンドルケース補修シール１０とレバーハンドル補修シール１１は、この台紙１２の表面に剥離可能となるように貼着されている。
【００２８】
上記ハンドルケース補修シール１０と、このハンドルケース補修シール１０の内径孔よりも一回り小形となるレバーハンドル補修シール１１は、扉用ハンドルロック３のハンドルケース４とその凹部７に納まるレバーハンドル５の関係に一致する配置で、かつ、ハンドルケース補修シール１０及びレバーハンドル補修シール１１の長さ方向のセンターラインと台紙１２の長さ方向のセンターラインが一致するように台紙１２に貼着され、前記台紙１２は長さ方向のセンターラインに沿って設けた切れ目１３で両側の台紙１２ａと１２ａに切離されている。
【００２９】
従って、台紙１２に設けた切れ目１３が、ハンドルケース補修シール１０とレバーハンドル補修シール１１をハンドルケース４とレバーハンドル５へ貼り付ける時のセンター合わせの定規部分になる。
【００３０】
また、接着剤Ｃは、主成分にポリアクリル酸エステル共重合体を用いることにより、強固な粘着力を得ることができ、扉用ハンドルロック３に対してハンドルケース補修シール１０とレバーハンドル補修シール１１を強固に貼り付け固定でき、しかも、耐熱性、耐寒性、耐候性の何れにも優れている。
【００３１】
この発明の補修シールは、上記のような構成であり、先ず、補修シールの製造方法を説明する。
【００３２】
図２（ｄ）のように、シール本体Ａの表面に保護シートＢと裏面に接着剤Ｃを塗布した三層構造のシール材料と台紙１２を用意し、図２（ａ）のように、このシール材料と台紙１２はハンドルケース４の前面外形に対して少し広幅で長さの長いものとし、台紙１２の表面にシール材料を接着剤Ｃで貼り合わせておく。このとき、台紙１２は、幅方向の中央で長さ方向に沿って施した切れ目１３によって、両側に切離された状態でシール材料と貼り合わされている。
【００３３】
図２（ａ）のように、上記シール材料に対して、ハンドルケース４の前面外形に見合う形状と大きさの第１環状切れ目ａと、レバーハンドル５が納まる凹部７の輪郭に見合う形状と大きさの第２環状切れ目ｂと、この第２環状切れ目ｂの内側に、レバーハンドル５の前面外形に見合う形状と大きさを有する第３環状切れ目ｃと、この第３環状切れ目ｃの内側に、キーシリンダ６の外径に見合う大きさの円形切れ目ｄを同時に打ち抜く。
【００３４】
上記第１乃至第３環状切れ目ａ、ｂ、ｃと円形切れ目ｄは、それぞれ、シール材料の厚みを貫通し、台紙１２には達しないように抜き刃形装置を用いて打ち抜く。
【００３５】
上記のような各環状切れ目ａ、ｂ、ｃと円形切れ目ｄをシール材料に施す場合、長さ方向の中心線が台紙１２の切れ目１３に一致しているようにする。
【００３６】
次に、シール材料の第１環状切れ目ａに対する外側部分、第２環状切れ目ｂと第３環状切れ目ｃで囲まれた部分及び円形切れ目ｄで囲まれた部分を台紙１２から剥離除去すれば、図２（ｂ）に示すように、台紙１２に残った第２環状切れ目より外側部分がハンドルケース補修シール１０、第３環状切れ目ｃより内側部分がレバーハンドル補修シール１１となり、補修シール９が完成する。
【００３７】
このようにして製造された補修シール９の使用方法は、自動販売機１の扉２に固定されているハンドルロック３のレバーハンドル５がハンドルケース４の凹部７内に納まっている施錠状態で、ハンドルケース４とレバーハンドル５の前面にハンドルケース補修シール１０とレバーハンドル補修シール１１をそれぞれ貼り付けるようにする。
【００３８】
上記の具体的な貼り付け方法は、先ず、ハンドルロック３の前面に補修シール９を臨ませ、台紙１２の長さ方向のセンターラインに沿って設けた切れ目１３を、ハンドルケース４の幅方向中央に合わせ、同時に上下の位置を確認して補修シール９をハンドルロック３の前面に重ねる。
【００３９】
次に、上記の状態で、切れ目１３で分断された台紙１２の片側台紙１２ａを剥がしてハンドルケース補修シール１０とレバーハンドル補修シール１１の半分の接着剤Ｃを露出させ、接着剤Ｃが露出したこの半分をハンドルケース４とレバーハンドル５の前面に押し付けて貼り付けた後、残りの片側台紙１２ａを剥がし、ハンドルケース補修シール１０とレバーハンドル補修シール１１の残りの半分を貼り付けることにより、ハンドルケース補修シール１０とレバーハンドル補修シール１１を同時に貼り付けることができる。
【００４０】
上記のように、ハンドルケース補修シール１０とレバーハンドル補修シール１１の半分を貼り付けるとき、残り半分は片側台紙１２ａに貼着されたままであるので、ハンドルケース補修シール１０とレバーハンドル補修シール１１の位置関係がずれることがなく、従って、ハンドルケース補修シール１０とレバーハンドル補修シール１１の貼り付け作業が簡単に行なえ、貼り付けの能率及び精度向上が図れる。
【００４１】
また、ハンドルケース補修シール１０とレバーハンドル補修シール１１は、ハンドルケース４とレバーハンドル５の配置関係に一致するように台紙１２に貼着され、台紙１２の長さ方向のセンターラインに沿って設けた切れ目１３が、センター出しの定規となり、この切れ目１３をハンドルケース４の幅方向中央に合わせて貼り付けるだけで、ハンドルケース４とレバーハンドル５に対して、ハンドルケース補修シール１０とレバーハンドル補修シール１１を心ずれのない状態で正確に貼り付けることができ、これによって、貼り直しを行うような必要がなくなり、仕上がりが良好で強固な貼り付け状態が得られる。
【００４２】
図１（ｂ）のように、上記のようにして貼り付けたハンドルケース補修シール１０とレバーハンドル補修シール１１は、ハンドルケース４とレバーハンドル５の前面を覆うことで、この前面に生じていた塗装の剥がれや傷を覆い隠すことになり、ハンドルロック３の前面を見た目に美しい状態に補修することができる。
【図面の簡単な説明】
【００４３】
【図１】（ａ）はハンドルロックとハンドルケース補修シール及びレバーハンドル補修シールの分解斜視図、（ｂ）はハンドルロックにハンドルケース補修シールとレバーハンドル補修シールを張り付けた状態を示す分解斜視図
【図２】（ａ）は補修シールの切れ目加工時の状態を示す正面図、（ｂ）は完成した補修シールの正面図、（ｃ）は（ｂ）の矢印ｃ−ｃでの横断平面図、（ｄ）は（ｃ）の拡大した横断平面図
【図３】ハンドルロックを取付けた自動販売機の正面図
【符号の説明】
【００４４】
１        自動販売機
２        扉
３        ハンドルロック
４        ハンドルケース
５        レバーハンドル
６        キーシリンダ
７        凹部
８        枢軸部
９        補修シール
１０      ハンドルケース補修シール
１１      レバーハンドル補修シール
１２      台紙
１３      切れ目
【図１】
2009068286.tif 000003
【図２】
2009068286.tif 000004
【図３】
2009068286.tif 000005